(57)【要約】【課題】  衛生的な爪研ぎ具を提供する。【解決手段】  爪研ぎ具１０は床面に載置して使用するものであって、床面に載置することができる枠体２０と、爪研ぎ部材３０と、４つの足踏み部材４０ａ、４０ｂ、４０ｃ及び４０ｄとからなる。爪研ぎ部材３０は、硬度６５のシリコンゴムよりなり、一方面３１に格子状の凸部３２よりなる凹凸形状が形成されている。尚、爪研ぎ部材３０は、底面側から枠２０の爪研ぎ部材設置孔に嵌め込まれることによって、枠体２０を床面に載置した場合に一方面３１が枠体２０の上面２１の側に現れるように枠体２０に保持されている。爪研ぎは一方面３１において行われる。このように構成すると、研ぎくずが出にくくなるので、爪研ぎ具１０が衛生的なものとなる。又、爪研ぎ部材３０が引き裂きに強く、爪研ぎ時に最初の形状を維持できるものとなるので、爪研ぎに適したものとなる。【選択図】  図１
2014135938.tif 000002
【特許請求の範囲】
【請求項１】
床面に載置して使用するペット用の爪研ぎ具であって、
弾性体よりなり、一方面の少なくとも一部に凹凸形状が形成された爪研ぎ部材と、
前記床面に載置することができ、前記床面に載置した場合に前記爪研ぎ部材の前記一方面が上面の側に現れるように前記爪研ぎ部材を保持することができる枠体とからなる、爪研ぎ具。
【請求項２】
前記爪研ぎ部材の摩擦係数は、前記枠体の摩擦係数より大きく、
前記爪研ぎ部材を保持した前記枠体を前記床面に載置した場合に、前記爪研ぎ部材の他方面の少なくとも一部が前記床面に当接する、請求項１記載の爪研ぎ具。
【請求項３】
前記爪研ぎ部材の摩擦係数は、前記枠体の摩擦係数より大きく、
前記爪研ぎ部材の他方面の外縁部分は、平面視環状に形成され、
前記爪研ぎ部材を保持した前記枠体を前記床面に載置した場合に、前記爪研ぎ部材の前記他方面の前記外縁部分の全部が前記床面に当接する、請求項１記載の爪研ぎ具。
【請求項４】
前記爪研ぎ部材は、硬度５０〜８０のシリコンゴムよりなる、請求項１から請求項３のいずれかに記載の爪研ぎ具。
【請求項５】
弾性体よりなり、押圧により凸状の外面が内面の側に凹むと共に押圧状態を解除すると前記外面が元の状態に復帰するように形成された足踏み部材を更に備え、
前記枠体は、前記床面に載置した場合に前記足踏み部材の前記外面が上面の側に現れるように前記足踏み部材を保持することができる、請求項１から請求項４のいずれかに記載の爪研ぎ具。
【発明の詳細な説明】
【技術分野】
【０００１】
この発明は爪研ぎ具に関し、特にペット用の爪研ぎ具に関するものである。
【背景技術】
【０００２】
室内で飼育される猫等の愛玩動物用の爪研ぎとして、例えば特許文献１に示すような猫の爪研ぎが提案されている。
【０００３】
図７は、そのような爪研ぎの外観形状を示す斜視図である。
【０００４】
図を参照して、爪研ぎ８０は、段ボールブロック８１と、段ボールブロック８１を収容し、収容した段ボールブロック８１の外側にレール溝８２が一周して設けられた本体８３と、レール溝８２の内部で転動自在なボール８４とからなる。尚、レール溝８２の底部には、樋部８５が設けられている。又、ボール８４はレール溝８２より転がり出ないような寸法であって、猫がボール８４を取ろうとするとボール８４がレール溝８２に沿って転がるように構成されており、猫の玩具として使用される。
爪研ぎは、段ボールブロック８１にて行われる。尚、爪研ぎにより段ボールブロック８１から生じる研ぎくずはレール溝８２に落ちるので、室内に研ぎくずが散らばりにくい。又、レール溝８２に落ちた研ぎくずは更に樋部８５へと落ちるので、研ぎくずによりボール８４の転動が阻害されにくい。更に、爪自身の研ぎカスは発生するが、この量は極微量であるので、衛生面ではほとんど影響を与えない。
【先行技術文献】
【特許文献】
【０００５】
【特許文献１】特開平８−１１８号公報
【発明の概要】
【発明が解決しようとする課題】
【０００６】
上記のような爪研ぎ８０は、研ぎくずが室内に散らばりにくいものではあるが、研ぎくずがレール溝８２を越えて爪研ぎ８０の外方に飛び出たり、爪研ぎ８０自身がひっくり返ったりすることによって研ぎくずが散らばる可能性があり、衛生的に問題があった。
【０００７】
この発明は、上記のような課題を解決するためになされたもので、衛生的な爪研ぎ具を提供することを目的とする。
【課題を解決するための手段】
【０００８】
上記の目的を達成するために、請求項１記載の発明は、床面に載置して使用するペット用の爪研ぎ具であって、弾性体よりなり、一方面の少なくとも一部に凹凸形状が形成された爪研ぎ部材と、床面に載置することができ、床面に載置した場合に爪研ぎ部材の一方面が上面の側に現れるように爪研ぎ部材を保持することができる枠体とからなるものである。
【０００９】
このように構成すると、研ぎくずが出にくくなる。
【００１０】
請求項２記載の発明は、請求項１記載の発明の構成において、爪研ぎ部材の摩擦係数は、枠体の摩擦係数より大きく、爪研ぎ部材を保持した枠体を床面に載置した場合に、爪研ぎ部材の他方面の少なくとも一部が床面に当接するものである。
【００１１】
このように構成すると、爪研ぎ部材の他方面と床面との間に摩擦力が生じる。
【００１２】
請求項３記載の発明は、請求項１記載の発明の構成において、爪研ぎ部材の摩擦係数は、枠体の摩擦係数より大きく、爪研ぎ部材の他方面の外縁部分は、平面視環状に形成され、爪研ぎ部材を保持した枠体を床面に載置した場合に、爪研ぎ部材の他方面の外縁部分の全部が床面に当接するものである。
【００１３】
このように構成すると、他方面の外縁部分の全部が平滑な床面に当接すると、他方面の内方が密封状態となる。
【００１４】
請求項４記載の発明は、請求項１から請求項３のいずれかに記載の発明の構成において、爪研ぎ部材は、硬度５０〜８０のシリコンゴムよりなるものである。
【００１５】
このように構成すると、引き裂きに強く、又、爪研ぎ時に最初の形状を維持できるものとなる。
【００１６】
請求項５記載の発明は、請求項１から請求項４のいずれかに記載の発明の構成において、弾性体よりなり、押圧により凸状の外面が内面の側に凹むと共に押圧状態を解除すると外面が元の状態に復帰するように形成された足踏み部材を更に備え、枠体は、床面に載置した場合に足踏み部材の外面が上面の側に現れるように足踏み部材を保持することができるものである。
【００１７】
このように構成すると、ペットの足が乗ると足踏み部材が凹む。
【発明の効果】
【００１８】
以上説明したように、請求項１記載の発明は、研ぎくずが出にくくなるので、衛生的なものとなる。
【００１９】
請求項２記載の発明は、請求項１記載の発明の効果に加えて、爪研ぎ部材の他方面と床面との間に摩擦力が生じるので、爪研ぎ時のずれが生じにくくなる。
【００２０】
請求項３記載の発明は、請求項１記載の発明の効果に加えて、他方面の外縁部分の全部が平滑な床面に当接すると、他方面の内方が密封状態となるので、使用時に内方が負圧状態になるので爪研ぎ時のずれがより生じにくくなる。
【００２１】
請求項４記載の発明は、請求項１から請求項３のいずれかに記載の発明の効果に加えて、引き裂きに強く、又、爪研ぎ時に最初の形状を維持できるものとなるので、より爪研ぎに適したものとなる。
【００２２】
請求項５記載の発明は、請求項１から請求項４のいずれかに記載の発明の効果に加えて、ペットの足が乗ると足踏み部材が凹むので、ペット用の遊戯具としての機能も備わる。
【図面の簡単な説明】
【００２３】
【図１】この発明の第１の実施の形態による爪研ぎ具の平面図である。
【図２】図１で示した爪研ぎ具の右側面図である。
【図３】図１で示した爪研ぎ具の底面図の上下を逆転させた図である。
【図４】図１で示したＩＶ−ＩＶラインの断面図である。
【図５】図１で示したＶ−Ｖラインの断面図である。
【図６】図１で示した足踏み部材の使用前後及び使用中の状態を示した模式図である。
【図７】従来の爪研ぎの外観形状を示す斜視図である。
【発明を実施するための形態】
【００２４】
図１は、この発明の第１の実施の形態による爪研ぎ具の平面図であり、図２は、図１で示した爪研ぎ具の右側面図であり、図３は、図１で示した爪研ぎ具の底面図の上下を逆転させた図であり、図４は、図１で示したＩＶ−ＩＶラインの断面図であり、図５は、図１で示したＶ−Ｖラインの断面図であり、図６は、図１で示した足踏み部材の使用前後及び使用中の状態を示した模式図である。
【００２５】
まず、図１から図５の各々を参照して、爪研ぎ具１０は床面に載置して使用するものであって、床面に載置することができるプラスチック製の枠体２０と、爪研ぎ部材３０と、４つの足踏み部材４０ａ、４０ｂ、４０ｃ及び４０ｄとからなる。尚、図１、図４及び図５を参照して、枠体２０には、爪研ぎ部材３０を保持する爪研ぎ部材設置孔２３と、足踏み部材４０ａ、４０ｂ、４０ｃ及び４０ｄの各々を保持する足踏み部材設置孔２４ａ、２４ｂ、２４ｃ、２４ｄの各々とが形成されている。枠体２０による爪研ぎ部材３０及び足踏み部材４０ａ、４０ｂ、４０ｃ及び４０ｄの各々の保持については後述する。
【００２６】
次に、図１から図５の各々を参照して、爪研ぎ部材３０は、硬度６５のシリコンゴムよりなり、一方面３１に格子状の凸部３２よりなる凹凸形状が形成されている。尚、爪研ぎ部材３０は、枠体２０を床面に載置した場合に一方面３１が枠体２０の上面２１の側に現れるように、底面側から爪研ぎ部材設置孔２３に嵌め込まれることによって枠体２０に保持されている。爪研ぎは爪研ぎ部材３０の一方面３１において行われる。
【００２７】
このように構成すると、研ぎくずが出にくくなるので、爪研ぎ具１０が衛生的なものとなる。又、爪研ぎ部材３０が引き裂きに強く、爪研ぎ時に最初の形状を維持できるものとなるので、爪研ぎに適したものとなる。
【００２８】
次に、図３を参照して、爪研ぎ部材３０の他方面３３の外縁部分３４は、平面視環状に形成されており、爪研ぎ部材３０を保持した枠体２０を床面に載置した場合には、図４及び図５に示すように、爪研ぎ部材３０の他方面３３の外縁部分３４の全部が床面に当接する。尚、上述したように爪研ぎ部材３０はシリコンゴムよりなり、枠体２０はプラスチックよりなるため、爪研ぎ部材３０の摩擦係数は枠体２０の摩擦係数よりも大きい。
【００２９】
このように構成すると、他方面３３の外縁部分３４の全部が平滑な床面に当接すると、他方面３３の内方が密封状態となる。すると、使用時には爪研ぎ部材３０の一方面３１にペットが爪を立てることにより一方面３１が押圧され、内方の空気が多少外方に抜けるため、内方が負圧状態にて密封状態となるので、爪研ぎ時のずれがより生じにくくなる。
【００３０】
更に、爪研ぎ部材３０の他方面３３には、爪研ぎ部材３０の形状を保持するための格子状のリブ３５ａ、３５ｂ及び３５ｃ等が形成されている。
【００３１】
次に、図１から図３、図５及び図６の各々を参照して、足踏み部材４０ａ、４０ｂ，４０ｃ及び４０ｄの各々はシリコンゴムよりなる。尚、足踏み部材４０ａ、４０ｂ，４０ｃ及び４０ｄの各々の構成は共通であるため、以下、足踏み部材４０ａの構成についてのみ述べる。
【００３２】
足踏み部材４０ａは押圧により外面４１が内面４２の側に凹むと共に、押圧状態を解除すると外面４１が元の状態に復帰するように形成されている。又、足踏み部材４０ａの外面４１は凸状に形成されており、枠体２０を床面に載置した場合に外面４１が枠体２０の上面２１の側に現れるように、底面側から足踏み部材設置孔２４ａに嵌め込まれることによって枠体２０に保持されている。
【００３３】
このように構成すると、ペットの足が乗ると足踏み部材４０ａが凹み、凹む感触がペットにリラックス効果をもたらすので、ペットの興味を引き、又、ペットのストレス解消が可能となるペット用の遊戯具としての機能も備わる。更に、足踏み部材４０ａが目に入りやすいので、よりペットの興味を引くものとなる。
【００３４】
次に、図３、図５及び図６の（１）を参照して、足踏み部材４０ａの内面４２の外縁部分４３は、同一平面上で環状に形成され、外縁部分４３には、内面４２の側から外面４１の側に掛けて延びる２本の溝４４ａ及び４４ｂが形成されている。又、足踏み部材４０ａの内面４２には、下面４６が同一平面上の環状となるリブ４５が形成され、リブ４５の下面４６には内方と外方とに渡る２つの溝４７ａ及び４７ｂが形成されている。
【００３５】
足踏み部材４０ａの使用時の状態については、図６の（２）を参照して、ペットの足５０が足踏み部材４０ａの外面４１に乗る等して足踏み部材４０ａが押圧されると、足踏み部材４０ａの外面４１が内面４２の側に凹むと共に、足踏み部材４０ａが床面６０の側に押し下がり、リブ４５の下面４６の全面が床面６０に当接する。このように構成すると、足踏み部材４０ａの凹みが急激なものとならないので足踏み部材４０ａの耐久力が向上する。
【００３６】
又、外縁部分４３の全面も床面６０に当接する。このように構成すると、図の矢印で示すように、足踏み部材４０ａの内方の空気が、リブ４５の溝４７ａと外縁部分４３の溝４４ａとの各々を通過して外方に抜ける。又、同様に、図３にて示したリブ４５の溝４７ｂと外縁部分４３の溝４４ｂとの各々を通過して足踏み部材４０ａの内方の空気が外方に抜ける。よって、足踏み部材４０ａの凹みに抵抗を与えるが、凹みが阻害されない。
【００３７】
ペットの足５０が足踏み部材４０ａの上面２１から外れて足踏み部材４０ａへの押圧状態が解除されると、足踏み部材４０ａの外面４１は、図６の（２）の状態から図６の（１）の状態に復帰するので、足踏み部材４０ａを使用した足踏み運動の遊びを繰り返し行うことが可能である。
【００３８】
尚、上記の第１の実施の形態では、爪研ぎ具は足踏み部材を備えるものであったが、無いものであってもよい。
【００３９】
又、上記の第１の実施の形態では、爪研ぎ部材の硬度は６５であったが、それ以外の硬度に設定されていてもよく、望ましくは硬度５０〜８０に設定されるとよい。
【００４０】
更に、上記の第１の実施の形態では、爪研ぎ部材はシリコンゴムよりなるものであったが、他の弾性体よりなるものであってもよい。
【００４１】
更に、上記の第１の実施の形態では、爪研ぎ部材の他方面の外縁部分は平面視環状に形成されたものであったが、他の形状に形成されていてもよい。
【００４２】
更に、上記の第１の実施の形態では、爪研ぎ部材の他方面は、床面に載置した場合にその全部が床面に当接するものであったが、他方面が床面に当接しないものであってもよい。又、他方面の少なくとも一部が床面に当接するものであってもよい。尚、このように構成すると、爪研ぎ部材の他方面と床面との間に摩擦力が生じるので、爪研ぎ時のずれが生じにくくなる。
【００４３】
更に、上記の第１の実施の形態では、格子状の凸部によって爪研ぎ部材の一方面に凹凸形状が形成されていたが、他の形状によって凹凸形状が形成されてもよい。又、ここで言う凹凸形状とはなだらかでない形状を意味し、例えばざらざらとした感触を与えるやすり状の形状も凹凸形状に含む。
【符号の説明】
【００４４】
１０…爪研ぎ具
２０…枠体
２１…上面
３０…爪研ぎ部材
３１…一方面
３２…凸部
３３…他方面
３４…外縁部分
４０ａ、４０ｂ、４０ｃ、４０ｄ…足踏み部材
４１…外面
４２…内面
６０…床面
尚、各図中同一符号は同一又は相当部分を示す。
【図１】
2014135938.tif 000003
【図２】
2014135938.tif 000004
【図３】
2014135938.tif 000005
【図４】
2014135938.tif 000006
【図５】
2014135938.tif 000007
【図６】
2014135938.tif 000008
【図７】
2014135938.tif 000009